(57)【要約】【課題】  部材数が少なく、断熱材を屋根裏に容易に且つ精度よく固定できる断熱材固定具及び該断熱材固定具を用いた断熱材固定構造を提供する。【解決手段】  本断熱材固定具３は、竪板３０と、竪板３０の上下両端部から同じ側へ突設された上板３１及び下板３２と、上板３１の先端部から下方へ突設された上固定片３３と、下板３２の先端部から上方へ突設された下固定片３４と、建物の天井部分に所定間隔で配設された鋼製野縁２に係合するために下板３２から下方へ突設された一対の係合片３５と、を具備するものであり、断熱材固定構造１は、鋼製野縁２に断熱材固定具３がその係合片３５により係合するとともに、１又は複数の断熱材４の端部が断熱材固定具３の上固定片３３と下固定片３４とにより挟持されているものである。【選択図】      図２
2007056527.tif 000002
【特許請求の範囲】
【請求項１】
建物の屋根裏に所定間隔で配設された鋼製野縁の上部に敷設される断熱材を固定する断熱材固定具であって、
竪板と、
該竪板の上下両端部から同じ側へ突設された上板及び下板と、
前記上板の先端部から下方へ突設された上固定片と、
前記下板の先端部から上方へ突設された下固定片と、
前記鋼製野縁に係合するために前記下板から下方へ突設された一対の係合片と、
を具備することを特徴とする断熱材固定具。
【請求項２】
前記上板の略中央から下方へ突設された固定爪を有することを特徴とする請求項１記載の断熱材固定具。
【請求項３】
請求項１又は２記載の断熱材固定具を用いた断熱材固定構造であって、
建物の天井部分に所定間隔で配設された鋼製野縁に前記断熱材固定具がその係合片により係合するとともに、
１又は複数の断熱材の端部が前記断熱材固定具の上固定片と下固定片とにより挟持されていることを特徴とする断熱材固定構造。
【発明の詳細な説明】
【技術分野】
【０００１】
本発明は、建物の天井部分に所定間隔で配設された鋼製野縁の上部に敷設される断熱材を固定する断熱材固定具及び断熱材固定構造に関する。
【背景技術】
【０００２】
建物の屋内外には、気温や日射、空調等の影響により温度差が生じている。熱は、高温側から低温側へと伝達する性質があるが、夏季においては、屋外からの熱が屋内に伝達しないように、冬季においては、屋内の熱が屋外に逃げないように、建物の屋根や壁、最下層の床等に断熱材を配設することにより、建物の内部環境を良好なものとしている。
【０００３】
住宅等の建物の屋根面に要求される断熱性能を確保するために屋根裏に配設される断熱材の施工方法としては、勾配天井仕上げの場合、屋根裏に所定間隔で配設された鋼製野縁の上部に載せて敷設するというのが一般的な施工方法であり、建物の屋根勾配が急な場合は、断熱材をビスや粘着テープ等により鋼製野縁に固定して断熱材をずれ落ちないようにしている。例えば、寒冷地等で複数の断熱材を屋根裏に配設する場合は、図６に示すように、１層目の断熱材１００と２層目の断熱材１０１を粘着テープ１０２により固定し、さらに１層目の断熱材１００と鋼製野縁１０３とを粘着テープ１０２により固定して断熱材のずれ落ちを防止している。
【０００４】
また、粘着テープ等を用いずに複数の断熱材を屋根裏に固定できる断熱材固定具がある（例えば、特許文献１参照）。この特許文献１の断熱材固定具は、野縁に固定される固定部と、該固定部に複数設けられて断熱材を保持する断熱材保持手段とを備えており、該断熱材保持手段により断熱材を挟んで保持している。
【特許文献１】特開２００２−４４８９号公報
【発明の開示】
【発明が解決しようとする課題】
【０００５】
しかしながら、ビスや粘着テープ等により断熱材を屋根裏に固定するには、上を向いて施工するため、精度が安定せず断熱材にずれが発生することがあり、また施工に手間もかかっていた。また、特許文献１の断熱材固定具は、部材数が多いため、製作コストがかかり、施工する際にも手間がかかるという問題があった。
【０００６】
本発明は、上記の課題に鑑みてなされたものであり、部材数が少なく、断熱材を屋根裏に容易に且つ精度よく固定できる断熱材固定具及び該断熱材固定具を用いた断熱材固定構造を提供することを目的とする。
【課題を解決するための手段】
【０００７】
上記目的を達成するために、請求項１記載の断熱材固定具は、建物の屋根裏に所定間隔で配設された鋼製野縁の上部に敷設される断熱材を固定する断熱材固定具であって、竪板と、該竪板の上下両端部から同じ側方へ突設された上板及び下板と、前記上板の先端部から下方へ突設された上固定片と、前記下板の先端部から上方へ突設された下固定片と、前記鋼製野縁に係合するために前記下板から下方へ突設された一対の係合片と、を具備することを特徴としている。
【０００８】
請求項２記載の断熱材固定具は、請求項１記載の断熱材固定具において、前記上板の略中央から下方へ突設された固定爪を有することを特徴としている。
【０００９】
請求項３記載の断熱材固定構造は、請求項１又は２記載の断熱材固定具を用いた断熱材固定構造であって、建物の天井部分に所定間隔で配設された鋼製野縁に前記断熱材固定具がその係合片により係合するとともに、１又は複数の断熱材の端部が前記断熱材固定具の上固定片と下固定片とにより挟持されていることを特徴としている。
【発明の効果】
【００１０】
本発明の請求項１の断熱材固定具によれば、竪板と、該竪板の上下両端部から同じ側方へ突設された上板及び下板と、前記上板の先端部から下方へ突設された上固定片と、前記下板の先端部から上方へ突設された下固定片と、前記鋼製野縁に係合するために前記下板から下方へ突設された一対の係合片と、を具備するため、鋼製野縁に取り付けられた断熱材固定具の上固定片と下固定片との間に断熱材を押し込んで上板を下方に折り曲げて上固定片と下固定片により断熱材を挟持でき、部材数が少なく、工具や接着剤を使用せずに断熱材を屋根裏に容易且つ精度よく固定でき、断熱材のずれを防止できる。
【００１１】
請求項２の断熱材固定具によれば、請求項１記載の断熱材固定具の効果に加えて、上板の略中央から下方へ突設された固定爪を有するため、より安定した状態で断熱材を固定できる。
【００１２】
請求項３の断熱材固定構造によれば、建物の天井部分に所定間隔で配設された鋼製野縁に請求項１又は２記載の断熱材固定具がその係合片により係合するとともに、１又は複数の断熱材の端部が前記断熱材固定具の上固定片と下固定片とにより挟持されているため、１又は複数の断熱材を屋根裏に容易且つ精度よく固定できる。
【発明を実施するための最良の形態】
【００１３】
以下、本発明の実施形態に係る断熱材固定構造について図面に基づいて説明する。
図１は、本実施の形態に係る断熱材固定構造１を用いた屋根の概略構成を示す断面図であり、図２は、図１のＡ部の部分拡大図である。本実施の形態に係る断熱材固定構造１は、図示するように、鋼製野縁２、断熱材固定具３、及び断熱材４を主体に構成される。
【００１４】
鋼製野縁２は、図２に示すように、断面略矩形の角管状に形成されており、両側面の上部及び下部に材長方向に延びる凹溝２０が平行して形成されている。この鋼製野縁２は、天井下地材５の受け材であり、図１に示すように、登り梁６に固定された吊りボルト７により図外の野縁受けが吊り下げられ、該野縁受けに複数本の鋼製野縁２が一定の間隔をあけて屋根の勾配方向と直交する方向に延びるように固定されて配設されている。なお、鋼製野縁２の屋根裏への配設方法は、特にこれに限られるものではなく、屋根の形状や勾配に応じて適宜の配設方法を採用してよい。
【００１５】
断熱材固定具３は、図３に示すように、１枚の鋼板を折り曲げ加工して作製されたものであり、竪板３０、該竪板３０の上下両端部から同じ側へ突設された上板３１及び下板３２、上板３１の先端部から下方へ突設された上固定片３３、下板３２の先端部の中央から上方へ突設された下固定片３４、鋼製野縁２に係合するために下板３２から下方へ突設された一対の係合片３５、及び上板３１の略中央から下方へ突設された固定爪３６を具備している。断熱材固定具３は、竪板３０、上板３１、及び下板３２により断面略コ字形状を形成しており、断熱材４の端部をこのコ字の開口部に押し込んで挟むことができるようになされている。また、上固定片３３の下端部及び下固定片３４の上端部は、断熱材４にくい込みやすいように波形状に歯部３７ａ、３７ｂがそれぞれ形成されており、これら歯部３７ａ、３７ｂが断熱材４にくい込むことにより安定した状態で断熱材４を挟持できるようになされている。また、上板３１は、下板３２よりも長く竪板３０から突出しており、これにより、断熱材４を挟んだ際の該断熱材４の厚み分の幅を確保するとともに、断熱材４を天井下地材５側に寄せるようにしており、天井下地材５と断熱材４との間に極力隙間が生じないようにしている。
【００１６】
係合片３５は、竪板側係合片３５ａと下板先端側係合片３５ｂを対として形成されている。竪板側係合片３５ａは、下板３２の中間部が竪板３０の下辺と平行に切り込まれ、該切込みの両端部から竪板３０の下辺まで切り込まれて門型に切られた部分が下方へ折り曲げられるとともに、その先端部が下板３２先端側へ折り返されて係合爪３８ａが形成されている。下板先端側係合片３５ｂは、下板３２先端の両端が下方へ折り曲げられるとともに、その先端部が竪板３０側へ折り返されて係合爪３８ｂが形成されている。竪板側係合片３５ａと下板先端側係合片３５ｂの下板３２側の端部間の距離は、鋼製野縁２の上面の幅と略同じまたは若干広くなされている。固定爪３６は、上板３１の略中央部が切られて下方へ折り曲げられて形成されており、断熱材４にくい込みやすいように略三角形状をしており、安定した状態で断熱材４を固定できるようになされている。この断熱材固定具３は、１つの断熱材４に対して１又は２ケ取り付けられる。
【００１７】
断熱材４は、グラスウールの全面を防湿フィルムで覆ったものであり、所謂袋状断熱材である。この断熱材４は、建物の屋根面に要求される断熱性能を確保するものであって、建物が施工される地域によって１層だけ敷設される場合と、寒冷地等のように２層敷設される場合とがある。
【００１８】
以上の構成により断熱材固定構造１を形成するには、まず、図４（ａ）に示すように、建物の屋根裏に配設された鋼製野縁２に断熱材固定具３を取り付ける。この際、屋根勾配の傾斜上手側から断熱材４を断熱材固定具３により固定するように、断熱材固定具３の竪板３０を傾斜上手側とし、下板３２の下面と鋼製野縁２の上部とが接するように押し込んで、鋼製野縁２の上部に形成された凹溝２０に断熱材固定具３の竪板側係合片３５ａの係合爪３８ａと下板先端側係合片３５ｂの係合爪３８ｂとを係合させる。これにより、断熱材固定具３の係合片３５が鋼製野縁２に係合して鋼製野縁２に断熱材固定具３が取り付けられる。
【００１９】
次いで、図４（ｂ）に示すように、断熱材４の端部を断熱材固定具３の上固定片３３と下固定片３４の間から上板３１と下板３２の間の空間に押し込む。この際、断熱材４の端部が固定爪３６に引っかかるように奥まで押し込む。そして、図４（ｃ）に示すように、断熱材固定具３の上板３１を下方に押して折り曲げて断熱材４の端部を上固定片３３と下固定片３４により挟持する。このように、断熱材固定具３によると、工具や接着剤を使用せずに断熱材４を固定でき、容易に固定できる。また、断熱材４の端部に断熱材固定具３の上固定片３３と下固定片３４がくい込んで挟持するとともに、さらに固定爪６が断熱材４にくい込むため、断熱材４がずれ落ちることがなく、精度よく固定できる。最後に、図４（ｄ）に示すように、断熱材４を勾配下手側に軽く引っ張ることにより固定されているか否かを確認する。
【００２０】
また、２層の断熱材４を固定する場合、１層の断熱材４を固定する場合と同様の手順により固定するが、図５に示すように、１層目の断熱材４には下固定片３４が食い込み、２層目の断熱材４には上固定片３３が食い込むため、この場合も容易かつ精度よく断熱材４を固定できる。
【００２１】
以上の説明より明らかなように、本発明の実施の形態に係る断熱材固定具３によれば、部材数が少なく、工具や接着剤を使用せずに断熱材４を屋根裏に容易且つ精度よく固定でき、断熱材４のずれを防止できる。また、上板３１の略中央から下方へ突設された固定爪３６を有するため、より安定した状態で断熱材４を固定できる。
【００２２】
また、本発明の実施の形態に係る断熱材固定構造１によれば、複数の断熱材４を固定する場合であっても、断熱材４を屋根裏に容易且つ精度よく固定できる。
【００２３】
なお、本発明は上記実施形態に限定されるものではなく、本発明の要旨の範囲内で種々の変形実施が可能である。例えば、本実施の形態では、１枚の鋼板を折り曲げ加工することにより断熱材固定具３を作成するようにしたが、複数の鋼板を組み合わせることにより断熱材固定具３を作成してもよい。また、係合片３５は、鋼製野縁２の凹溝２０に係合するものとしたが、鋼製野縁２に凹溝２０がない場合等は、竪板側係合片３５ａと下板先端側係合片３５ｂにより鋼製野縁２を挟んで鋼製野縁２の下部に係合するようにしてもよい。
【産業上の利用可能性】
【００２４】
本発明は、建物の屋根裏に断熱材を固定する場合に利用可能である。
【図面の簡単な説明】
【００２５】
【図１】本実施の形態に係る断熱材固定構造を用いた屋根の概略構成を示す断面図である。
【図２】本実施の形態に係る断熱材固定構造の概略構成を示す断面図である。
【図３】断熱材固定具の構成の一例を示す斜視図である。
【図４】断熱材固定構造を形成する手順を示す断面模式図である。
【図５】複数の断熱材を固定する場合の断熱材固定構造の概略構成を示す断面図である。
【図６】従来の断熱材の固定方法を示す斜視図である。
【符号の説明】
【００２６】
１    断熱材固定構造
２    鋼製野縁
３    断熱材固定具
４    断熱材
３０    竪板
３１    上板
３２    下板
３３    上固定片
３４    下固定片
３５    係合片
【図１】
2007056527.tif 000003
【図２】
2007056527.tif 000004
【図３】
2007056527.tif 000005
【図４】
2007056527.tif 000006
【図５】
2007056527.tif 000007
【図６】
2007056527.tif 000008